(57)【要約】【課題】  部品点数が少なく、構造が簡単な磁気記録再生装置のポールベース組立体駆動装置を提供する。【解決手段】  本発明の磁気記録再生装置のポールベース組立体駆動装置は、各ポールベース組立体に連結される第１および第２のリンク部材と、各リンク部材に連結され、互いにギヤ連結される一対の第１および第２のローディングギヤと、メインデッキの駆動モータにより回転されながら第１のローディングギヤと選択的に噛合いまたは噛合い解除されるメインギヤを備えてなる。【選択図】      図３
2004213875.tif 000002
【特許請求の範囲】
【請求項１】
メインデッキ上に設けられたガイドレールに沿って往復移動しながら磁気テープをヘッドドラムに接触するように移動させる一対のポールベース組立体のそれぞれをロード・アンロードさせる駆動装置において、
一端が前記各ポールベース組立体にそれぞれ連結される第１および第２のリンク部材と、
前記第１および第２のリンク部材のそれぞれの他端に連結され、互いにギヤ連結されて連動する一対の第１および第２のローディングギヤと、
前記メインデッキ上に設けられる駆動モータから動力を伝達されて回転し、回転の際に前記第１のローディングギヤと選択的に噛合いまたは噛合い解除されるメインギヤとを備え、
前記メインギヤは、回転の際に所定の回転範囲内で前記ローディングギヤのうちのいずれか１つと連動して回転させることで前記ポールベース組立体のロード・アンロードができるように動力伝達を行うことを特徴とする磁気記録再生装置のポールベース組立体駆動装置。
【請求項２】
前記第１のローディングギヤは、前記第２のローディングギヤとギヤ連結される第１のギヤ部と、前記メインギヤにギヤ連結されるように前記第１のギヤ部と段付けされるように形成された第２のギヤ部とを有することを特徴とする請求項１に記載の磁気記録再生装置のポールベース組立体駆動装置。
【請求項３】
前記第２のギヤ部は、前記第１のギヤ部より低い位置に段付けされて形成され、前記第１のギヤ部より大きな半径を有することを特徴とする請求項２に記載の磁気記録再生装置のポールベース組立体駆動装置。
【請求項４】
前記第２のギヤ部は、前記メインギヤに所定区間においてのみギヤ連結されるように前記第１のローディングギヤの外周面に所定区間にのみギヤ歯が突設されていることを特徴とする請求項２に記載の磁気記録再生装置のポールベース組立体駆動装置。
【請求項５】
前記第２のギヤ部の両端には、メインギヤの回転方向に沿って当該メインギヤとのギヤ連結の開始のために相対的に深い大ギヤ溝がそれぞれ形成されることを特徴とする請求項４に記載の磁気記録再生装置のポールベース組立体駆動装置。
【請求項６】
前記メインギヤは、前記大ギヤ溝のそれぞれに対応するように周囲のギヤ歯に比べて相対的に大きく突設される一対の大ギヤ歯を有することを特徴とする請求項５に記載の磁気記録再生装置のポールベース組立体駆動装置。
【請求項７】
前記一対の大ギヤ歯は、前記メインギヤの外周に設けられたギヤ歯より低い位置に設けられていることを特徴とする請求項６に記載の磁気記録再生装置のポールベース組立体駆動装置。
【請求項８】
前記メインギヤは、前記駆動モータから動力を伝達されるギヤ歯の周囲に設けられ、当該ギヤ歯に比べて相対的に大きな一対の大ギヤ歯を有し、前記一対の大ギヤ歯を始めとした所定区間のギヤ歯は、前記第２のギヤ部に噛合いまたは噛合い解除されることを請求項２に記載の磁気記録再生装置のポールベース組立体駆動装置。
【請求項９】
前記メインギヤは、
動力を伝達されるように外周に設けられたメインギヤ部と、
前記メインギヤ部より低い位置に、前記第２のギヤ部のギヤ歯に連結されるように所定区間設けられた連結ギヤ部と、
前記連結ギヤ部の始点および終点部分に前記大ギヤ溝のそれぞれに対応するように前記連結ギヤのギヤ歯より大きく形成された一対の大ギヤ歯と、
前記連結ギヤ部および大ギヤ部から離れ、前記メインギヤ部より低く円弧状に突設されて前記第２のギヤ部の外周面にスライド接触されるスライド羽根とを有することを特徴とする請求項４に記載の磁気記録再生装置のポールベース組立体駆動装置。
【発明の詳細な説明】
【技術分野】
【０００１】
本発明は、磁気記録再生装置に関し、より詳しくは、ポールベース組立体をロード・アンロードさせるための磁気記録再生装置のポールベース組立体駆動装置に関する。
【背景技術】
【０００２】
図１は、磁気記録再生装置の一例を示すものであって、カムコーダのムービングデッキを部分的に示す分離斜視図である。同図に示されたように、メインデッキ１上にドラムベース２が設けられている。ドラムベース２には、図示していないヘッドドラムが回転可能に取付けられている。前記ヘッドドラムは、テープカセットから引き出されて走行する磁気テープに接触回転しながら情報の記録・再生を行う。このため、前記ヘッドドラムに磁気テープを引き出して密着させるための一対のポールベース組立体３、４がメインデッキ１上で移動可能に設けられている。即ち、ポールベース組立体３、４は、ドラムベース２に設けられたガイドレール２ａに沿ってロード・アンロードされ、その以外にも多様な形態で設けられることができる。
【０００３】
このようなポールベース組立体３、４をロード・アンロードさせるための駆動装置が設けられる。即ち、メインデッキ１に設けられた駆動モータ５からの動力は、所定の経路を通ってメインデッキ１上のメインギヤ６へ伝達される。メインギヤ６に連結された中継ギヤ７は、図２に示されたように、互いに連動する第１および第２のローディングギヤ８、９に動力を伝達する。従って、各ローディングギヤ８、９に連結されたリンク部材１０、１１は、ローディングギヤ８、９と共に回動しながらその一端に支持されたポールベース組立体３、４のそれぞれをガイドレール２ａに沿ってロード・アンロードさせることが可能となる。
【０００４】
しかしながら、前述の構成を有する従来のポールベース組立体駆動装置では、メインギヤ６、中継ギヤ７およびローディングギヤ８、９を所定の位置に配置して連動させるようにしているため、大きなスペースを占めると共に構成が複雑化するという問題点がある。特に部品点数が増大し、コストのアップおよび組立工程の増大などのような問題点がある。
【発明の開示】
【発明が解決しようとする課題】
【０００５】
本発明は、前述の問題点を解決するためになされたものであって、本発明の目的は、部品点数が少なくかつ構成が簡単化した、改善された磁気記録再生装置のポールベース組立体駆動装置を提供することにある。
【課題を解決するための手段】
【０００６】
上記の目的を達成するための本発明に係る磁気記録再生装置のポールベース組立体駆動装置は、メインデッキ上に設けられたガイドレールに沿って往復移動しながら磁気テープをヘッドドラムに接触するように移動させる一対のポールベース組立体のそれぞれをロード・アンロードさせる駆動装置において、一端が前記各ポールベース組立体にそれぞれ連結される第１および第２のリンク部材と、前記第１および第２のリンク部材のそれぞれの他端に連結され、互いにギヤ連結されて連動する一対の第１および第２のローディングギヤと、前記メインデッキ上に設けられる駆動モータから動力を伝達されて回転し、回転の際に前記第１のローディングギヤと選択的に噛合いまたは噛合い解除されるメインギヤとを備え、前記メインギヤは、回転の際に所定の回転範囲内で前記ローディングギヤのうちのいずれか１つと連動して回転させることで前記ポールベース組立体のロード・アンロードができるように動力伝達を行うことを特徴とする。
【０００７】
ここで、前記第１のローディングギヤは、前記第２のローディングギヤとギヤ連結される第１のギヤ部と、前記メインギヤにギヤ連結されるように前記第１のギヤ部と段付けされるように形成された第２のギヤ部とを有することが好ましい。
【０００８】
また、前記第２のギヤ部は、前記第１のギヤ部より低い位置に段付けされて形成され、前記第１のギヤ部より大きな半径を有することが好ましい。
【０００９】
さらに、前記第２のギヤ部は、前記メインギヤに所定区間においてのみギヤ連結されるように前記第１のローディングギヤの外周面に所定区間にのみギヤ歯が突設されていることが好ましい。
【００１０】
また、前記第２のギヤ部の両端には、メインギヤの回転方向に沿って当該メインギヤとのギヤ連結の開始のために相対的に深い大ギヤ溝がそれぞれ形成されることが好ましい。
【００１１】
また、前記メインギヤは、前記大ギヤ溝のそれぞれに対応するように周囲のギヤ歯に比べて相対的に大きく突設される一対の大ギヤ歯を有することが好ましい。
【００１２】
また、前記一対の大ギヤ歯は、前記メインギヤの外周に設けられたギヤ歯より低い位置に設けられていることが好ましい。
【００１３】
前記メインギヤは、前記駆動モータから動力を伝達されるギヤ歯の周囲に設けられ、そのギヤ歯のうちの所定区間におけるギヤ歯は、相対的に大きな一対のギヤ歯を始めとして第２のギヤ部に噛合いまたは噛合い解除されることが好ましい。
【００１４】
また、前記メインギヤは、動力を伝達されるように外周に設けられたメインギヤ部と、前記メインギヤ部より低い位置に、前記第２のギヤ部のギヤ歯に連結されるように所定区間設けられた連結ギヤ部と、前記連結ギヤ部の始点および終点部分に前記大ギヤ溝のそれぞれに対応するように前記連結ギヤのギヤ歯より大きく形成された一対の大ギヤ歯と、前記連結ギヤ部および大ギヤ部から離れ、前記メインギヤ部より低く円弧状に突設されて前記第２のギヤ部の外周面にスライド接触されるスライド羽根とを有することが好ましい。
【発明の効果】
【００１５】
以上のように、本発明の磁気記録再生装置のポールベース組立体駆動装置によれば、従来のものとは異なり、メインギヤとローディングギヤとを直接連結させるにあたって、所定の区間においてのみ動力が伝達されるようにすることにより、簡単な構成でポールベース組立体のロード・アンロードを行うことができる。
【００１６】
従って、部品点数が少なくなると共に簡単な構成となるため、組立工数およびコストが低下するという利点が得られる。
【発明を実施するための最良の形態】
【００１７】
以下、添付の図面を参照して本発明の実施例に係る磁気記録再生装置のポールベース組立体駆動装置を詳述する。
【実施例】
【００１８】
図３および図４に示されたように、本発明の実施例に係る磁気記録再生装置のポールベース組立体駆動装置は、メインデッキ２０上に設けられたガイドレール２１、２２に沿って移動されながら磁気テープをヘッドドラム（図示せず）に接触するように移動させる第１および第２のポールベース組立体３１、３３をロード・アンロードさせるためのものである。
【００１９】
このようなポールベース組立体駆動装置は、第１および第２のポールベース組立体３１、３３のそれぞれに連結される第１および第２のリンク部材３５、３７と、各リンク部材３５、３７に連結される一対の第１および第２のローディングギヤ４０、５０と、メインデッキ２０上に回転可能に設けられ、第１のローディングギヤ４０に選択的にギヤ連結されるメインギヤ６０とを備えてなる。
【００２０】
第１および第２のローディングギヤ４０、５０は、ガイドレール２１、２２が設けられたレールプレート２３に回転可能に取付けられる。ローディングギヤ４０、５０は、互いに連通するように連結される。
【００２１】
第１のリンク部材３５の一端は、第１のローディングギヤ４０に固定され、他端は、第１のポールベース組立体３１に回転可能に連結される。また、第１のリンク部材３５は、中心部に関節３５ａを有する。第１のローディングギヤ４０の回転時、関節３５ａを中心に第１のリンク部材３５を折曲または伸展することでポールベース組立体３１を移動させる。
【００２２】
第２のリンク部材３７の一端は、第２のローディングギヤ５０に固定され、他端は、第２のポールベース組立体３３に回転可能に連結される。また、第２のリンク部材３７も中心部に関節３７ａを有する。
【００２３】
第１のローディングギヤ４０は、第２のローディングギヤ５０とギヤ連結される第１のギヤ部４１と、メインギヤ６０に選択的にギヤ連結される第２のギヤ部４３とを有する。第１および第２のギヤ部４１、４３は、互いに異なる高さで段付けされるように形成される。即ち、第１のギヤ部４１が第２のギヤ部４３より高い位置に形成される。また、第１のギヤ部４１は、第２のギヤ部４３より小さな半径を有するように形成される。
【００２４】
ここで、第２のギヤ部４３は、メインギヤ６０に所定区間においてのみギヤ連結されるように円周方向に所定区間においてのみギヤ歯４３ａが形成される。また、各ギヤ歯４３ａの両側部分には、メインギヤ６０とのギヤ連結のために、相対的に深く大きな大ギヤ溝４３ｂがそれぞれ形成される。
【００２５】
メインギヤ６０は、メインデッキ２０上に回転可能に設けられ、第１のローディングギヤ４０へ動力を選択的に伝達する。メインギヤ６０は、メインデッキ２０上に設けられた駆動モータ２５の動力を複数の動力伝達ギヤ２６、２７を介して伝達され、回転される。また、メインギヤ６０には、カム溝６１が形成され、図示しないスライド部材を連動させる。前記スライド部材は、メインデッキ上で左右に往復移動しながら、図示しないリビュアームユニットおよびリールブレーキなどを連動させる。また、メインギヤ６０上には、ガイドピン６３が突設され、メインデッキ２０上に設けられるサブデッキ（図示せず）を連動させることでロード・アンロードさせる。即ち、前記サブデッキは、カセットテープを支持した状態でヘッドドラム側にロード・アンロードされる。メインギヤ６０は、ロードの時にＡ方向へ回転し、アンロードの時にＢ方向へ回転する。このようなメインギヤ６０は、動力伝達ギヤ２７に連結されるメインギヤ部６５と、メインギヤ部６５より低い位置により大きく形成された一対の大ギヤ歯６６と、大ギヤ歯６６の間にメインギヤ部６５より低く形成された連結ギヤ部６７と、連結ギヤ部６７および大ギヤ歯６６から離れた個所に同一の高さで形成されたスライド羽根６８とを有する。大ギヤ歯６６は、所定角度で離間し、ローディングギヤ４０の大ギヤ溝４３ｂに対応するように形成される。勿論、大ギヤ歯６６は、メインギヤ部６４より低い位置、即ち、動力伝達ギヤ２７より低い位置において突設されることで、動力伝達ギヤ２７とは干渉しないようになる。大ギヤ歯６６は、ローディングギヤ４０の第１のギヤ部４１とは干渉せず、第２のギヤ部４３とは選択的に噛み合う十分な距離をもって形成される。連結ギヤ部６７は、大ギヤ歯６６の間に所定区間設けられ、メインギヤ部６５と一体に同一半径上で設けられる。連結ギヤ部６６は、第１のローディングギヤ４０の第２のギヤ部４３のギヤ歯４３ａに噛み合うようになる。スライド羽根６８は、メインギヤ部６５より低い位置に、即ち、連結ギヤ部６７および大ギヤ歯６６と同じ高さでメインギヤ６０の外周に設けられる。また、スライド羽根６８は、メインギヤ部６５より大きな半径を有するように円弧状に所定の範囲で突設される。従って、スライド羽根６８は、第２のギヤ部４３の非ギヤ部４３ｃに滑り接触するようになる。従って、メインギヤ６０と第１のローディングギヤ４０とがギヤ連結されていない状態では、スライド羽根６８と非ギヤ部４３ｃとが互いに滑るように接触された状態を維持する。
【００２６】
前述の構成を有する本発明の実施例に係るポールベース組立体駆動装置の動作について説明すると、次の通りである。
【００２７】
まず、図３の状態は、アンロード状態であって、このような状態で駆動モータ２５の回転によりメインギヤ６０がＡ方向に回転される。すると、メインギヤ６０のガイドピン６３に引かれ、サブデッキのローディングが始まるようになる。このとき、図５に示されたように、メインギヤ６０の大ギヤ歯６６ａが第１のローディングギヤ４０の大ギヤ溝４３ｂに噛み合うようになる。すると、第１のローディングギヤ４０の第２のギヤ部４３がメインギヤ６０のメインギヤ歯６５にギヤ連結され、共に連動回転される。このとき、図６に示されたように、他の大ギヤ歯６６ｂがローディングギヤ６０の他の大ギヤ溝４３ｂから外れると、メインギヤ６０と第１のローディングギヤ４０とのギヤ連結が解除される。
【００２８】
前述のように、第１のローディングギヤ４０がメインギヤ６０に所定時間・所定角度で連結されて回転する間、第２のローディングギヤ５０も連動して回転する。また、各ローディングギヤ４０、５０の回転によって第１および第２のリンク部材３５、３７のそれぞれが共に回転しながら伸展され、各ポールベース組立体３１、３３がガイドロール２１、２２に沿って移動することとなる。
【００２９】
また、前述の状態では、メインギヤ６０は、図７に示されたように、さらに回転される。しかし、メインギヤ６０から第１のローディングギヤ４０が噛合い解除されている状態であるため、第１のローディングギヤ４０はさらに回転せず、メインギヤ６０のみがさらに回転する。また、スライド羽根６８が第２のローディングギヤ４０の非ギヤ部４３ｃに接触した状態で維持される。従って、羽根６８と非ギヤ部４３ｃとの間の接触摩擦力により第１のローディングギヤ４０の自由な回転が抑制され、各ポールベース組立体３１、３３が正常の位置を維持することができる。
【００３０】
以上のように、サブデッキおよびスライド部材を連動させるメインギヤ６０が、第１のローディングギヤ４０を直接連結して連動させることにより、構造が複雑でなく部品点数を減らすことができる。また、部品点数が少ないため、組立が容易でありかつコストが低下するという利点がある。
【００３１】
なお、上記のようにメインギヤ６０の回転によるポールベース組立体３１、３３のローディングと同様に、図７の状態においてメインギヤ６０をＢ方向に回転させると、ローディング時とは逆順に、第１のローディングギヤ４０を所定区間においてのみ回転させることができるようになる。従って、簡単な構成でロードおよびアンロードの駆動が可能となる。
【産業上の利用可能性】
【００３２】
本発明の磁気記録再生装置のポールベース組立体駆動装置は、磁気記録媒体を使用するＶＣＲ、ＶＴＲ、カムコーダなどの磁気記録再生装置において適用可能である。
【図面の簡単な説明】
【００３３】
【図１】一般の磁気記録再生装置を示す概略的な分離斜視図である。
【図２】図１の要部を切り出して示す概略的な構成図である。
【図３】本発明の実施例に係る磁気記録再生装置のポールベース組立体駆動装置を示す概略的な平面図である。
【図４】図３の一部を切り出して示す斜視図である。
【図５】本発明の実施例に係るポールベース組立体駆動装置の動作を説明するための平面図である。
【図６】本発明の実施例に係るポールベース組立体駆動装置の動作を説明するための平面図である。
【図７】本発明の実施例に係るポールベース組立体駆動装置の動作を説明するための平面図である。
【符号の説明】
【００３４】
２０  メインデッキ
２１、２２  ガイドレール
３１、３３  第１、第２のポールベース組立体
３５、３７  第１、第２のリンク部材
４０、５０  第１、第２のローディングギヤ
６０  メインギヤ
【図１】
2004213875.tif 000003
【図２】
2004213875.tif 000004
【図３】
2004213875.tif 000005
【図４】
2004213875.tif 000006
【図５】
2004213875.tif 000007
【図６】
2004213875.tif 000008
【図７】
2004213875.tif 000009